(57)【要約】      （修正有）【課題】デザインの自由度を向上し、且つ騒音を分散させる消音機能を備え、さらにブロック内部に形成された空間を有効利用して植栽や演出的な照明または付加機能の追加を可能とする。【解決手段】積み重ね方向Ｙと直交する方向Ｘに隣接するブロック間１，１を連結してブロック構造体を組み立てる。ブロック１および方向Ｘに隣接する相手側部材とは、突出部２ａと切欠部２ｂとの組より成ると共に方向Ｙの軸を中心とする一定角度範囲内の自由な方向からの連結が可能な連結部２を備える。第１ブロック１ａは、両端の連結部２の間を接続して曲面状の表面を形成すると共に方向Ｙに貫通する内部空間Ｓを形成する第１壁部４を有し、第２ブロック１ｂは、両端の連結部２の間を接続して方向Ｙに位置する第１ブロック１ａの一方の表面と同一面を形成すると共に当該第１ブロック１ａの内部空間Ｓを露出させる第２壁部５を有する。【選択図】図１
2005232709.tif 000002
【特許請求の範囲】
【請求項１】
複数のブロックを積み重ねると共に当該積み重ね方向と直交する方向である連結方向に隣接する前記ブロック間を連結して組み立てられるブロック構造体において、前記ブロックおよび連結方向に隣接する相手側部材とは、それぞれ相手側に向かって突き出た突出部と相手側が備える前記突出部を受け入れる切欠部との組より成ると共に前記積み重ね方向の軸を中心とする一定角度範囲内の自由な方向からの連結が可能な連結部を備え、且つ前記ブロックには第１ブロックと第２ブロックの少なくとも２種のブロックを含み、前記第１ブロックおよび前記第２ブロックの双方とも両端に前記連結部を備え、前記第１ブロックは、両端の前記連結部の間を接続して曲面状の表面を形成すると共に前記積み重ね方向に貫通する内部空間を形成する第１壁部を有し、前記第２ブロックは、両端の前記連結部の間を接続して積み重ね方向に位置する前記第１ブロックの一方の表面と同一面を形成すると共に当該第１ブロックの内部空間を露出させる第２壁部を有することを特徴とするブロック構造体。
【請求項２】
隣接する前記突出部の間を着脱自在に接続する接続手段により、前記ブロックおよび前記相手側部材が連結されることを特徴とする請求項１記載のブロック構造体。
【請求項３】
前記突出部には前記積み重ね方向に貫通する軸孔が形成され、前記接続手段は、前記軸孔の縁と係合する係合部と、前記軸孔を通るねじ構造とを備え、前記ねじ構造により、前記積み重ね方向の同軸にある複数の前記接続手段が結合されると共に隣接する前記突出部間が締結されることを特徴とする請求項２記載のブロック構造体。
【請求項４】
前記第１ブロックの前記内部空間に照明装置を備え、前記積み重ね方向における前記第１ブロックと前記第２ブロックとの組み合わせにより形成される空間を前記照明装置により照らすことを特徴とする請求項１から３のいずれか１つに記載のブロック構造体。
【請求項５】
太陽光のエネルギーを電気エネルギーに変換する太陽電池と、前記太陽電池が発生した電力を蓄えるバッテリとを備えることを特徴とする請求項１から４のいずれか１つに記載のブロック構造体。
【請求項６】
前記第２ブロックの下段に位置する前記第１ブロックの内部空間に、植物を保持する植栽ポットが収容されることを特徴とする請求項１から５のいずれか１つに記載のブロック構造体。
【発明の詳細な説明】
【技術分野】
【０００１】
本発明は、複数のブロックにより組み立てられるブロック構造体に関する。さらに詳述すると、本発明は、複数種のブロックを組み合わせて構成される建築構造壁などのブロック構造体に関する。
【背景技術】
【０００２】
特許文献１には、図５５〜図５７に示すように、植物用の培地を収容する空間１００を備えた箱型の植栽用ブロック１０１と、上記空間１００の上方に植栽空間を確保するとともに別の植栽用ブロック１０１を載置する支持面を備えた空間形成ブロック１０２とを組み合わせて成り、壁としての機能とプランターとしての機能を兼ね備えたブロック構造体が開示されている。図５５に示す空間形成ブロック１０２ａは、植栽用ブロック１０１と対向する側が開放されると共に壁を突き抜ける方向が開放された門型に形成されている。図５６に示す空間形成ブロック１０２ｂは、図５５の空間形成ブロック１０２ａに対して壁を突き抜ける方向を閉塞する壁部１０３を有している。図５７の空間形成ブロック１０２ｃは通常の壁形成用のブロックであり、この場合、植栽用空間１００は壁面から突出する構成となる。図５５〜図５７のブロック１０１，１０２のいずれにも、側面に半円形の溝１０４が形成されており、隣接するブロック間で溝１０４を合わせて円形の通路を形成し、この通路に鉄筋１０５を通して当該通路と鉄筋１０５の間の隙間にモルタルなどの接着用材料を流し込んで、ブロック間を固定するようにしている。
【０００３】
特許文献２には、図５８に示すように、ブロック２０１を積み重ねる方向と直交する方向に突き出た連結部２０２をブロック２０１の両端に設けて、隣接するブロック２０１間の連結部２０２同士を互い違いに重ね合わせて、各連結部２０２に形成された挿通孔２０３を一致させ、この挿通孔２０３に先細の筒状のピン２０４を挿通してブロック２０１間を連結すると共に、当該ピン２０４の下端部を下段にある他のピン２０４の上端部に挿入することで、ブロック２０１を積み重ねて、花壇等のブロック構造体を構成する技術が開示されている。この技術では、ブロック２０１を破壊することなく、ブロック構造体の分解を容易に行えるようにしている。
【０００４】
特許文献３には、図５９に示すように、上下に貫通する２つの透孔３０２を両側に有し、且つこれら透孔３０２の間に上面を凹ませた有底の凹所３０３が設けられ、且つ当該凹所３０３を前方に延在させる平面弧状の突出部３０４を備えたブロック３０１が開示されている。各ブロック３０１は、前後に通じる間隙Ｇをおいて並べられ、隣り合うブロック３０１の上に、他のブロック３０１を跨がらせて載置し、上下の透孔３０２を重ねる。重ねた透孔３０２には補強鉄筋が挿通される。各ブロック３０１の両側面の後面近傍には上下に通じる溝３０５が設けられており、隣接するブロック３０１の溝３０５の間には矩形状の背板３０６が取り付けられ、ブロック３０１間の間隙Ｇが遮蔽される。順次ブロック３０１を積み重ねた後、上下に連通する透孔３０２にコンクリートが打設されてブロック構造体としての擁壁が形成される。ブロック３０１の各凹所３０３には土が配され、間隙Ｇにおいて植物を植えることができる。
【０００５】
【特許文献１】特開２００１−２５３２３号
【特許文献２】特開平１０−２５２１８４号
【特許文献３】特開平７−２３３５８６号
【発明の開示】
【発明が解決しようとする課題】
【０００６】
しかしながら、特許文献１のブロック１０１，１０２はいずれも矩形状であり、組み立てられるブロック構造体は平面的、直線的なものに限定される。このため、デザインの自由度が低く、例えば土地等の土台の形状に合わせて曲面状の壁面を形成するといった柔軟性、融通性に欠ける。また、図５５のように壁面を突き抜ける開口を生じてしまうと、外界からの視線を遮る若しくは風除け等の壁として要求される機能を満足できない場合がある。また、図５６，図５７のいずれの場合も、少なくとも片側の壁面が平面となるため、騒音を反射し易くなってしまう問題もある。
【０００７】
また、特許文献２では、中実のブロック２０１を隙間無く連結し且つ積み重ねるため、ブロック構造体の内部に植栽用や演出照明用等の空間を設けることができない。また、ブロック２０１は略直方体であるため壁面はほぼ平面に形成され、騒音を反射し易くなってしまう問題もある。
【０００８】
また、特許文献３では、間隙Ｇに取り付けられる背板３０６によりブロック３０１間の連結角度が制限され、土地等の土台の形状に合わせて壁面を形成するといった柔軟性が充分に得られない場合がある。また、土止め用擁壁以外の塀などに適用した場合、ブロック構造体の背面側が露出するが、当該背面側ではブロック３０１間に取り付けられた背板３０６が継ぎ接ぎのようになって見栄えが悪く、また当該背面は略平面となるため、騒音を反射し易くなってしまう問題もある。
【０００９】
また、特許文献１，３では植物用の培地を保持するべく、ブロックには底部が形成されているため、積み重ねた複数のブロック内部の空間を連続させて有効利用することはできない。加えて、特許文献１，３では、接着用材料をブロック間に流し込むことによりブロック間を固定しているので、ブロック構造体を移設したりブロック構造体の形状を変更する等の必要が生じた場合には、各ブロックを破壊してから別のブロックを用いてブロック構造体を組み立て直す必要があり、大掛かりな工事を要する。
【００１０】
そこで本発明は、土台の形状に合わせるなどデザインの自由度を向上でき、且つ従来にない創作性豊かなデザインを可能とすると共に騒音を分散させる消音機能をも有し、さらにブロック内部に形成された空間を有効利用して植栽や演出的な照明または付加機能の追加を可能とし、多目的・多種用途に活用できるブロック構造体を提供することを目的とする。さらに本発明は、移設や形状変更等を容易に行えるブロック構造体を提供することを目的とする。
【課題を解決するための手段】
【００１１】
かかる目的を達成するため、請求項１記載の発明は、複数のブロックを積み重ねると共に当該積み重ね方向と直交する方向である連結方向に隣接する前記ブロック間を連結して組み立てられるブロック構造体において、前記ブロックおよび連結方向に隣接する相手側部材とは、それぞれ相手側に向かって突き出た突出部と相手側が備える前記突出部を受け入れる切欠部との組より成ると共に前記積み重ね方向の軸を中心とする一定角度範囲内の自由な方向からの連結が可能な連結部を備え、且つ前記ブロックには第１ブロックと第２ブロックの少なくとも２種のブロックを含み、前記第１ブロックおよび前記第２ブロックの双方とも両端に前記連結部を備え、前記第１ブロックは、両端の前記連結部の間を接続して曲面状の表面を形成すると共に前記積み重ね方向に貫通する内部空間を形成する第１壁部を有し、前記第２ブロックは、両端の前記連結部の間を接続して積み重ね方向に位置する前記第１ブロックの一方の表面と同一面を形成すると共に当該第１ブロックの内部空間を露出させる第２壁部を有するようにしている。
【００１２】
したがって、第１ブロック同士または第２ブロック同士または第１ブロックと第２ブロックとは、直接または連結用部材を介して連結方向に接続されると共に、積み重ね方向に積み上げられる。隣接する部材間の接続は互いの突出部を相手側の切欠部に挿し入れることで行われるため、間隙の無い連続的な壁面が形成され、且つ曲面状の表面を有する第１壁部およびこの第１壁部と同一面を形成する第２壁部により、滑らかな凹凸面が形成される。また、積み重ね方向における第１ブロックと第２ブロックの組み合わせにより、外部に開放された空間をブロック構造体の内部に形成することができ、また第１ブロックを連続して積み重ねることにより第１ブロックの内部空間を連続させることができる。
【００１３】
また、請求項２記載の発明は、請求項１記載のブロック構造体において、隣接する前記突出部の間を着脱自在に接続する接続手段により、前記ブロックおよび前記相手側部材が連結されるようにしている。この場合、ブロック構造体の移設や形態変更などの必要に応じて、ブロックと相手側部材と切り離し、ブロック構造体を分解できる。
【００１４】
また、請求項３記載の発明は、請求項２記載のブロック構造体において、前記突出部には前記積み重ね方向に貫通する軸孔が形成され、前記接続手段は、前記軸孔の縁と係合する係合部と、前記軸孔を通るねじ構造とを備え、前記ねじ構造により、前記積み重ね方向の同軸にある複数の前記接続手段が結合されると共に隣接する前記突出部間が締結されるようにしている。この場合、ねじによる締結力により連結部間を固定できると共に接続手段同士も積み重ね方向に結合されるので、ブロックを任意の高さまで安定して積み重ねることができる。
【００１５】
また、請求項４記載の発明は、請求項１から３のいずれか１つに記載のブロック構造体において、前記第１ブロックの前記内部空間に照明装置を備え、前記積み重ね方向における前記第１ブロックと前記第２ブロックとの組み合わせにより形成される空間を前記照明装置により照らすようにしている。この場合、栽培植物をライトアップする等してブロック構造体の見栄えを向上でき、またはインターホンや表札などを照らして当該インターホンの位置や表札などを訪問者等に認識され易くできる。
【００１６】
また、請求項５記載の発明は、請求項１から４のいずれか１つに記載のブロック構造体において、太陽光のエネルギーを電気エネルギーに変換する太陽電池と、前記太陽電池が発生した電力を蓄えるバッテリとを備えている。この場合、太陽光を利用して日中蓄えた電力により夜間等に照明装置を作動させたり、バッテリを非常用電源として利用することもできる。
【００１７】
また、請求項６記載の発明は、請求項１から５のいずれか１つに記載のブロック構造体において、前記第２ブロックの下段に位置する前記第１ブロックの内部空間に、植物を保持する植栽ポットが収容されるようにしている。この場合、第１ブロックに底部を設けることなく植栽を行うことができ、第１ブロックの内部空間を照明用空間等として有効利用できる。
【発明の効果】
【００１８】
しかして請求項１記載のブロック構造体によれば、連続した滑らかな凹凸状の壁面を形成するので、柔らかで優しい景観を演出できると共に、当該壁面に当たる騒音を分散させ減衰させることができ消音効果をも図ることができる。また、ブロック間に大きな間隙を生じずにブロック間を接続できるので、外観を向上できると共に、外界からの視線を遮る若しくは風除け等の遮蔽体としての機能も満足させることができる。更に、積み重ね方向における第１ブロックと第２ブロックの組み合わせにより、外部に開放された空間をブロック構造体の内部に形成することができ、また第１ブロックを連続して積み重ねることにより第１ブロックの内部空間を連続させることができ、当該形成された空間を利用して、例えば植栽を行ったり或いは演出的な照明を行ったり、またはインターホンや表札、防犯カメラなどを設置したり、ポストやダストボックス、ポール受けなどを設けたりもできる。さらに、ブロック間を角度を持たせて連結することも可能であり、ブロック構造体の形態の自由度を更に向上でき、土地等の土台の形状に合わせて壁面を形成するといった柔軟性、融通性をも備える。加えて、組立完成後のブロック構造体が比較的大型もしくは複雑な形態等であったとしても、ブロック構造体を構成するブロック個々はコンパクトに梱包することが可能であるので、輸送等が容易という利点もある。
【００１９】
さらに請求項２記載のブロック構造体によれば、ブロック構造体の移設や形態変更などの必要に応じて、ブロックと相手側部材と切り離し、ブロック構造体を分解できる。例えば災害時や緊急車両の通行時などに簡単に撤去または移設できる道路分離帯として、本発明に係わるブロック構造体を利用できる。
【００２０】
さらに請求項３記載のブロック構造体によれば、ねじによる締結力により連結部間を固定できると共に接続手段同士も積み重ね方向に結合されるので、ブロックを任意の高さまで安定して積み重ねることができる。
【００２１】
さらに請求項４記載のブロック構造体によれば、第１ブロックと第２ブロックとの組み合わせにより形成される空間を照明装置により照らすので、栽培植物をライトアップする等してブロック構造体の見栄えを向上でき、またはインターホンや表札などを照らして当該インターホンの位置や表札などを訪問者等に認識され易くできる。
【００２２】
さらに請求項５記載のブロック構造体によれば、太陽電池と、この太陽電池が発生した電力を蓄えるバッテリとを備えているので、太陽光を利用して日中蓄えた電力により夜間等に照明装置を作動させたり、バッテリを非常用電源として利用することができる。
【００２３】
さらに請求項６記載のブロック構造体によれば、第２ブロックの下段に位置する第１ブロックの内部空間に植栽ポットを収容するので、第１ブロックに底部を設けることなく植栽を行うことができ、第１ブロックの内部空間を照明用空間等として有効利用できる。
【発明を実施するための最良の形態】
【００２４】
以下、本発明の構成を図面に示す実施形態に基づいて詳細に説明する。
【００２５】
図１から図５１に本発明のブロック構造体の実施の一形態を示す。このブロック構造体９０は複数のブロック１を積み重ねると共に当該積み重ね方向Ｙと直交する方向である連結方向Ｘに隣接するブロック１，１間を連結して組み立てられるものである。尚、本実施形態における積み重ね方向Ｙは例えば鉛直方向とし、連結方向Ｘは水平方向とする。また本実施形態では、ブロック構造体９０としてブロック塀を組み立てる例について主に説明する。但し、本発明に係わるブロック構造体９０がブロック塀に限定されるものではない。
【００２６】
ブロック１および連結方向Ｘに隣接する相手側部材とは、それぞれ相手側に向かって突き出た突出部２ａと相手側が備える突出部２ａを受け入れる切欠部２ｂとの組より成ると共に積み重ね方向Ｙの軸を中心とする一定角度範囲内の自由な方向からの連結が可能な連結部２を備えている。ここで、本実施形態における相手側部材には、隣接する他のブロック１である場合と、ブロック１，１間を接続する連結用部材３である場合とが含まれるものとする。また、本実施形態では、各ブロック１および連結用部材３は共通の連結部２を有している。この場合、異種又は同種のブロック１，１間を直接接続するか或いは連結用部材３を介して接続するか自由に選択でき、組立の自由度を高めることができる。
【００２７】
ブロック１には第１ブロック１ａと第２ブロック１ｂの少なくとも２種が含まれる。例えば本実施形態では、ブロック構造体９０を構成するブロック１には、第１ブロック１ａおよび第２ブロック１ｂのみを用いるものとする。但し、第１ブロック１ａおよび第２ブロック１ｂ以外のブロック１を用いても良いのは勿論である。
【００２８】
第１ブロック１ａおよび第２ブロック１ｂの双方とも両端に連結部２を備えている。第１ブロック１ａは、両端の連結部２の間を接続して曲面状の表面を形成すると共に積み重ね方向Ｙに貫通する内部空間Ｓを形成する第１壁部４を有している。第２ブロック１ｂは、両端の連結部２の間を接続して積み重ね方向Ｙに位置する第１ブロック１ａの一方の表面と同一面を形成すると共に当該第１ブロック１ａの内部空間Ｓを露出させる第２壁部５を有している。
【００２９】
したがって、第１ブロック１ａ同士または第２ブロック１ｂ同士または第１ブロック１ａと第２ブロック１ｂとは、直接または連結用部材３を介して水平方向Ｘに接続されると共に、鉛直方向Ｙに積み上げられる。隣接するブロック１，１間の接続は互いの突出部２ａを相手側の切欠部２ｂに挿し入れることで行われるため、間隙の無い連続的な壁面が形成され、且つ曲面状の表面を有する第１壁部４およびこの第１壁部４と同一面を形成する第２壁部５により、滑らかな凹凸面が形成される。連続した滑らかな凹凸状の壁面により、柔らかで優しい景観を演出できると共に、当該壁面に当たる騒音を分散させ減衰させることができ消音効果をも図ることができる。また、ブロック１，１間に大きな間隙を生じずにブロック１，１間を接続できるので、外観を向上できると共に、外界からの視線を遮る若しくは風除け等の遮蔽体としての機能も満足させることができる。加えて、積み重ね方向Ｙにおける第１ブロック１ａと第２ブロック１ｂの組み合わせにより、外部に開放された空間をブロック構造体９０の内部に形成することができ、また第１ブロック１ａを連続して積み重ねることにより第１ブロック１ａの内部空間Ｓを連続させることができる。上記ブロック１の組み合わせにより形成された空間を利用して、例えば植栽を行ったり或いは演出的な照明を行ったり、またはインターホンや表札、防犯カメラなどを設置したり、ポストやダストボックス、ポール受けなどを設けたりもできる。さらに、図３や図４に例示するように、ブロック１，１間を角度を持たせて連結することも可能であり、ブロック構造体９０の形態の自由度を更に向上でき、土地等の土台の形状に合わせて壁面を形成するといった柔軟性、融通性をも備える。加えて、組立完成後のブロック構造体９０が比較的大型もしくは複雑な形態等であったとしても、ブロック構造体９０を構成するブロック１個々はコンパクトに梱包することが可能であるので、輸送等が容易という利点もある。
【００３０】
以下に、第１ブロック１ａ，第２ブロック１ｂの好適な形状の一例を、図６〜図１５を用いて更に詳述する。
【００３１】
第１ブロック１ａ，第２ブロック１ｂの両端に形成された各連結部２は、例えば１つの突出部２ａと１つの切欠部２ｂとを有し、これら突出部２ａと切欠部２ｂとが両端で互い違いとなるように設けられている。突出部２ａおよび切欠部２ｂは、それぞれブロック高さＨの２分の１の高さｈを有している。突出部２ａは相手側の切欠部２ｂに向かって円弧状に突き出た略円柱形状を成しており、隣接する２つのブロック１は互いの突出部２ａを互い違いに重ねるように連結される。相手側の突出部２ａと対向する切欠部２ｂの端面６は、突出部２ａよりも曲率半径の若干大きい円弧を成すように凹んだ曲面を成していて、相手側の突出部２ａの先端をブロック１の内側に引き入れる。これにより、隣接するブロック１，１間を一定角度の範囲内で連結可能として尚且つブロック１，１間の隙間を極力無くしてブロック１，１間が滑らかに繋がるようにしている。
【００３２】
第１ブロック１ａの第１壁部４は、一端側の連結部２から二股に分かれて延びた後に他端側の連結部２でつながり、第１壁部４の内側で内部空間Ｓが形成されると共に、第１壁部４の外側で第１ブロック１ａの外面が形成される。この第１壁部４は内部空間Ｓを挟んで対称に形成され、第１壁部４が形成する第１ブロック１ａの外形は、例えば中央部を膨らませ両端部を窄ませた形状としている。一方、第２ブロック１ｂの第２壁部５は、第１壁部４をほぼ半割とした形状、換言すれば第１壁部４の片側のみに対応する形状としている。第１ブロック１ａと第２ブロック１ｂとは、同一高さＨと同一幅Ｂを有し、積み重ねられた第１ブロック１ａの第１壁部４の対の一方と第２ブロック１ｂの第２壁部５とは表裏において同一面を形成する。以下、本実施形態では第１ブロック１ａをフルブロック１ａとも呼び、第２ブロック１ｂをハーフブロック１ｂとも呼ぶ。これらフルブロック１ａおよびハーフブロック１ｂを任意の組み合わせで連結することによって、連結方向Ｘに滑らかに連続した凹凸の曲面、例えば図２に示すように波形の曲面が形成される。
【００３３】
また、本実施形態の各ブロック１には、積み重ねられる他のブロック１に嵌め合わされる嵌合部が設けられている。より具体的には、各ブロック１の積み重ね方向Ｙの下端部には下方に突出した凸状嵌合部７が形成されると共に、各ブロック１の積み重ね方向Ｙの上端部には他のブロック１の凸状嵌合部７が嵌め合わされる凹状嵌合部８が形成されている。フルブロック１ａの凸状嵌合部７は内部空間Ｓの縁が下段のブロック１に向かって枠状に突出して形成され、フルブロック１ａの凹状嵌合部８は内部空間Ｓの縁が枠状にへこんだ段差として形成される。一方、ハーフブロック１ｂの凸状嵌合部７はハーフブロック１ｂの下端面の一部が下段のブロック１に向かって弓状に突出して形成され、ハーフブロック１ｂの凹状嵌合部８はハーフブロック１ｂの下端面の一部が弓状にへこんだ段差として形成される。フルブロック１ａ，ハーフブロック１ｂともに、上段および下段がフルブロック１ａとハーフブロック１ｂのいずれであっても、自身の凸状嵌合部７と凹状嵌合部８を相手側の凹状嵌合部８と凸状嵌合部７に嵌め合わせることが可能であるものとしている。凸状嵌合部７を相手側の凹状嵌合部８に嵌め合わせることで、積み重ねたブロック１が安定すると共に、連結部２の位置決めも容易となる。
【００３４】
上述したフルブロック１ａ、ハーフブロック１ｂは、例えばセメントをベースとするコンクリート系材料を用いて型によりそれぞれ一体成形される。ブロック１の素材としては、特にダクタル（商標）を用いることが好ましい。この場合、ブロック１の厚みの薄型化を図って尚且つ高強度のブロック１を得ることができ、ブロック１の軽量化や長寿命化等の効果が得られる。
【００３５】
ここで、例えば本実施形態では、隣接する突出部２ａの間を着脱自在に接続する接続手段により、ブロック１と相手側部材とを連結するようにしている。この場合、ブロック構造体９０の移設や形態変更などの必要に応じて、ブロック１と相手側部材と切り離し、ブロック構造体９０を分解できる利点がある。
【００３６】
例えば本実施形態の各突出部２ａには積み重ね方向Ｙに貫通する軸孔９が形成されている。隣接する二部材、例えば同種または異種のブロック１同士もしくはブロック１と連結用部材３は、それぞれが有する突出部２ａの軸孔９を互い違いとして各軸孔９を重ね合わせた状態とし、これらの軸孔９に接続手段としての連結軸１０が挿通されて、連結される。この場合、ブロック１，１間またはブロック１と連結用部材３は、いわゆるヒンジ連結構造で接続される。
【００３７】
上記の連結軸１０として、例えば図１，図１６，図１８に示すフランジ付きピン１０ａを利用できる。フランジ付きピン１０ａは、円板状のフランジ部１１と、フランジ部１１の両面側から突出した軸部１２と有する。フランジ部１１は、互い違いに重ね合わされる２つの突出部２ａの間に位置するように取り付けられ、軸孔９の縁と係合して軸孔９におけるピン１０ａの移動を規制し、ピン１０ａの抜け落ちを防止する。軸部１２は、互い違いに重ね合わされる２つの突出部２ａの両軸孔９に挿入される。軸孔９の端部には、フランジ部１１を収容する窪み１３を設けることが好ましい。この場合、互い違いに重ね合わせた２つの突出部２ａの間に隙間が生じることを防ぐことができる。但し、フランジ部１１の厚みを薄くすることにより、窪み１３を設けることなく重ね合わせた２つの突出部２ａ間の隙間の発生を防ぐようにしても良い。ここで、図１および図１６に示すように、２つのブロック１，１間の連結にピン１０ａを用いるのに加えて、当該連結したブロック１の上段に他のブロック１を積み重ねる際にもピン１０ａを用いるようにしても良い。この場合、積み重ねたブロック１の安定性がより向上する。尚、上段のピン１０ａを軸孔９に挿入可能であるように、軸部１２の長さは突出部２ａの高さｈの２分の１以下とする。但し、積み重ねたブロック１の高さがそれ程高くない場合等には、例えば図１８に示すように、２つのブロック１，１間の連結のみにピン１０ａを用いても良い。この場合、軸部１２の長さは突出部２ａの高さｈ以下であれば良い。
【００３８】
さらに、上記の連結軸１０の他の例として、軸孔９の縁と係合する係合部と、軸孔９を通るねじ構造を備えたピン１０ｂを利用しても良い。例えば図１７に示すように、係合物としての円板状のフランジ部１１と、このフランジ部１１を挟んだ一方側に設けられる雄ねじ部１４と、フランジ部１１を挟んだ他方側に設けられ、内側に雌ねじが形成された円筒部１５とを備えるピン１０ｂを利用しても良い。この場合、例えば、先ずピン１０ｂの雄ねじ部１４を土台としての地中に埋めて地面にピン１０ｂを固定する、あるいは予め地中に埋設しておいた図示しない雌ねじ部にピン１０ｂの雄ねじ部１４を螺合させて地面にピン１０ｂを固定する。次に、当該固定したピン１０ｂの円筒部１５に、互い違いに重ね合わせた２つの突出部２ａの両軸孔９を通す。続いて、当該軸孔９を通した円筒部１５に、他のピン１０ｂの雄ねじ部１４を螺合させて、２つの突出部２ａを挟んだ２つのピン１０ｂの各フランジ部１１により、互い違いに重ね合わせた２つの突出部２ａを締結する。さらに、当該締結に用いたピン１０ｂの円筒部１５に、更に上段に位置する互い違いに重ね合わせた２つの突出部２ａの両軸孔９を通す。当該軸孔９を通した円筒部１５に、他のピン１０ｂの雄ねじ部１４を螺合させる。以上の手順を順次繰り返す。尚、最上段の円筒部１５には、例えば図１７に示すように、円筒部１５の無いピン１０ｂ’を螺合させる。このようにねじ構造を備えたピン１０ｂを利用する場合、ねじによる締結力により連結部２間を固定できると共に、ピン１０ｂ同士も積み重ね方向Ｙに結合されるのでブロック１を任意の高さまで安定して積み重ねることができる。尚、図１７は、ねじ構造を備えたピン１０ｂを示す一例であって、必ずしもこの例には限定されない。例えば、互い違いに重ね合わされる２つの突出部２ａの間にフランジ部１１を介在させるようにピン１０ｂを配置しても良く、あるいはフランジ部１１を挟んだ両側に雄ねじ部１４を備えたピンと、フランジ部１１を挟んだ両側に円筒部１５を備えたピンとを組み合わせて使用しても良い。または、軸孔９を貫通するボルトと、軸孔９の縁と係合するナットを用いて、連結部２間を締結するようにしても良い。
【００３９】
さらに、上記の連結軸１０の他の例として、例えば図１９に示すように、最上段のブロック１の連結部２から最下段のブロック１の連結部２まで貫通する１本の棒材１０ｃ、もしくは最上段のブロック１の連結部２から土台まで貫通する１本の棒材１０ｃを利用しても良い。この場合、ブロック構造体９０の剛性を向上でき、ブロック１を安定して積み重ねることができる。
【００４０】
以上に説明した連結軸１０のいずれを用いるかは、利用者が適宜用途等に応じて選択することが好ましい。また、上述した連結軸１０を用いた連結部２の連結後に、ブロック１，１間の結合強度を高める等の必要に応じて、接着剤を軸孔９に充填するようにしても構わない。尚、隣接する突出部２ａの間を着脱自在に接続する接続手段は必ずしも上記例示した連結軸１０に限定されるものではない。例えば図２０に示すように、対向する突出部２ａの端面の一方と一体に設けられて他方の端面に向けて突出する係合凸部１６と、上記他方の端面に形成されて係合凸部１６が嵌め合わされる係合凹部１７とにより、接続手段を構成しても良い。尚、連結方向の自由度を高めるために係合凸部１６および係合凹部１７の周縁は円形とすることが好ましいが、非円形、例えば六角形状としても構わない。さらに、係合凸部１６を突出部２ａに対して出没可能に構成しても良い。
【００４１】
上述したフルブロック１ａおよびハーフブロック１ｂを、鉛直方向Ｙに任意の組み合わせで積み重ねるとともに、水平方向Ｘに任意の組み合わせで連結する。尚、最下段のブロック１は、例えば図２８に示すように土台としての地中に半分程度埋めて、土台に固定することが好ましい。若しくは、最下段のフルブロック１ａの内部空間Ｓに土やコンクリート材などを充填して、土台に固定することが好ましい。但し、積み重ねたブロック１の高さがそれ程高くない場合等には、最下段のブロック１を単に土台に載置するだけでも構わない。
【００４２】
さらに、コンクリートやタイルなどで舗装された土台にブロック構造体９０を設置する場合には、例えば図１７に示したピン１０ｂの雄ねじ部１４と螺合する雌ねじを備える図示しないアンカーを舗装面に打ち込み固定して、当該アンカーの雌ねじに最下位置にあたるピン１０ｂの雄ねじ部１４をねじ込み、その後、図１７に例示したようにブロック１を順次組み上げて、ブロック構造体９０を当該舗装面に固定するようにしても良い。上記アンカーとして、例えば既存のグリップアンカーを採用して良い。この場合、土台としての既設コンクリート舗装面やタイル面などにドリル等を用いて穿孔を設け、この穿孔に上記グリップアンカーを打ち込む。グリップアンカーは円筒形に形成され、この円筒における舗装面と対向する側の端部には、先太りの截頭円錐形係止片が設置されると共に、円筒周面には当該係止片が設置される端部から軸方向に延びるスリットが形成され、上記係止片が在る端部とは逆側すなわち舗装面から露出する側における円筒内周面には、ピン１０ｂの雄ねじ部１４と螺合する雌ねじが設けられている。舗装面に設けられた穿孔に上記係止片を先頭としてグリップアンカーを打ち込むと、係止片の先端が穿孔の底面に当接することにより当該係止片がグリップアンカーの円筒内部に侵入して、スリットによりグリップアンカーの円筒周面が拡がって穿孔の内周面を圧接し、グリップアンカーと係止片とが堅固に係合すると共に、グリップアンカーが穿孔内に堅固に固定される。このように舗装面に固定されたグリップアンカーの雌ねじに、最下位置にあたるピン１０ｂの雄ねじ部１４をねじ込んで、図１７を用いて既述したようにブロック１を組み上げる。この場合、コンクリート面やタイル面などの舗装面に対してブロック構造体９０の設置と撤去が自在に行えると共に、ブロック構造体９０の撤去に際して舗装面を破壊する事がないので、再舗装等の手間を省くことができる。また、接着性材料を用いてブロック構造体９０を設置面に固定する湿式工法ではなく、機械的結合力によりブロック構造体９０を設置面に固定する乾式工法であるため、施工が容易となる利点もある。
【００４３】
ここで、隣接するブロック１，１間は、例えば図２１に示す連結用部材３を介して接続しても良い。連結用部材３ａ，３ｂは、双方とも２つのブロック１，１間を直線的に接続するものであり、両端に連結部２を備えている。連結用部材３ａは、両端の連結部２を繋ぐ接続部１８が短く、このためブロック１，１間の間隔を短くできる特長があり、連結用部材３ｂは、両端の連結部２を繋ぐ接続部１８が長く、このためブロック１，１間の間隔を長くできる特長がある。連結用部材３ｃは、両端の連結部２を繋ぐ接続部１８が湾曲しており、一端側のブロック１の方向を他端側のブロック１の方向に対して例えば９０°変化させて、これら２つのブロック１，１間を接続する。連結用部材３ｄは、例えば平面視で略Ｔ字型を成し、３つの端部にそれぞれ連結部２を備えている。連結用部材３ｅは、例えば平面視で略三角形を成し、３つの端部にそれぞれ連結部２を備えている。連結用部材３ｄ，３ｅは３つのブロック１を接続でき、これにより例えばブロック１の列を分岐させることができる。
【００４４】
連結用部材３は、例えばブロック１と同一高さＨを有し、例えば図２２に示すように突出部２ａと切欠部２ｂとが両端において互い違いとなるように設けられている。但し、図２３に示すように、突出部２ａと切欠部２ｂとを両端において対称となるように設けても良い。或いは図２４に示すように、連結用部材３は、各端部に突出部２ａのみを有し、各端部を繋ぐ接続部１８は突出部２ａと同一高さｈを有するものとし、連結対象のブロック１の突出部２ａ同士を突き合わせるとともに、これらのブロック１の切欠部２ｂにより形成された空隙を埋めるように、連結用部材３の突出部２ａを配置するようにしても良い。連結用部材３は、例えばブロック１と同じ素材を用いて型によりそれぞれ一体成形される。
【００４５】
図５０，図５１に例示するように、連結用部材３を適宜選択してブロック１，１間を接続することにより、ブロック構造体９０の取り得る形態がより豊富となり、例えば土地の形状等に一層適合するブロック構造体９０を組み立てることができる。但し、上記に例示した連結用部材３ａ〜３ｅはあくまでも好適例であって、連結用部材３の形状等が上記例示に限定されるものではない。
【００４６】
また、本実施形態では、ブロック構造体９０の端に位置するブロック１および最上段に位置するブロック１に対して、見栄えの向上および雨水や汚れ等の侵入防止を図るべく、以下に説明する端部処理を施すようにしている。
【００４７】
例えば図３５および図３６に示すように、ブロック構造体９０の端に位置するブロック１の切欠部２ｂに対して、端部部材１９を嵌め込む。端部部材１９は、例えば軸孔９を有する円筒形に形成され、連結軸１０を介してブロック１の切欠部２ｂに取り付けられる。端部部材１９をブロック１の切欠部２ｂに嵌め込むことにより、切欠部２ｂの空間が埋められて、当該ブロック１の端が滑らかな形状となり、見栄えを向上できる。この端部部材１９は、例えばブロック１と同じ素材を用いて作製される。また、最上段に位置するブロック１または連結用部材３または端部部材１９の軸孔９には、図３５に示すように、充填部材２０を嵌め込む。充填部材２０は例えば硬質ゴム製で、軸孔９の周面と接触して自重落下を妨げる複数の襞２１が周囲に形成されている。充填部材２０を軸孔９に嵌め込むことで軸孔９の頂端が塞がれて、軸孔９内への雨水等の侵入を防いで、連結軸１０の錆や劣化などを防止できる。また、最上段に位置するフルブロック１ａの頂部には、図３４および図３５に示すように、内部空間Ｓを塞ぐ蓋部材２２が取り付けられる。蓋部材２２は、例えばフルブロック１ａの凹状嵌合部８に嵌め合わせ可能に形成されている。蓋部材２２により、ブロック１内部が隠されて見栄えを向上できると共に、フルブロック１ａの内部空間Ｓへの雨水等の侵入を防ぐことができる。これは、フルブロック１ａの内部空間Ｓに、照明機器などの電気機器を収容する場合などに有効である。蓋部材２２は、例えばブロック１と同じ素材を用いて作製される。
【００４８】
また、ブロック構造体９０の端に位置するブロック１の連結部２を利用して、別の構造物をブロック構造体９０に連結するようにしても良い。例えば図３７に示すように、ブロック構造体９０としての塀に門扉２３を取り付けるようにしても良い。この門扉２３は、例えばブロック１の切欠部２ｂに向かって突き出た取付部２４を備えており、取付部２４には軸孔９が形成されている。取付部２４をブロック１の切欠部２ｂに挿し入れた状態で連結軸１０を軸孔９に貫通させて、門扉２３がブロック構造体９０としての塀に開閉可能に取り付けられる。更にこの場合、連結軸１０を中空円筒状に形成し、連結軸１０の中空部を旗などのポール受けとして機能させても良い。また、ブロック構造体９０の両端に位置して水平方向に並ぶ端部部材１９間を壁面の前方にて例えば棒材により接続し、当該棒材を手摺として機能させても良い。
【００４９】
積み重ね方向Ｙにフルブロック１ａとハーフブロック１ｂの組み合わせることによって、外部に開放された空間をブロック構造体９０の内部に形成することができる。この空間の利用例を以下に説明する。
【００５０】
例えば、フルブロック１ａの一段上にハーフブロック１ｂを積み重ねることで、植栽用の空間を形成することができる。この場合、フルブロック１ａの内部空間Ｓに、植物を保持する植栽ポット２５を組み込む。但し、最下段のフルブロック１ａにおいては、内部空間Ｓに土等を直接入れて、植栽ポット２５を組み込むことなく植栽することも可能である。植栽ポット２５は、図２５〜図２７に示すように、植物を栽培するための土、小石、砂、樹脂製のスポンジ等が入れられて内部空間Ｓに収容される容器本体２５ａと、容器本体２５ａの上端の周縁に形成されてフルブロック１ａの凹状嵌合部８の縁に当接する鍔部２５ｂと、容器本体２５ａの底部に形成された排水口２５ｃとを備えている。
【００５１】
この植栽ポット２５は、容器本体２５ａをフルブロック１ａの内部空間Ｓに収容し、鍔部２５ｂをフルブロック１ａの凹状嵌合部８に嵌め込んで、フルブロック１ａに組み込まれる。当該植栽ポット２５を組み込んだフルブロック１ａの上にハーフブロック１ｂが積み重ねられる。尚、積み重ねたフルブロック１ａとハーフブロック１ｂとの間に隙間が生じてしまうことを防止するべく、フルブロック１ａの凹状嵌合部８は、植栽ポット２５の鍔部２５ｂおよびハーフブロック１ｂの凸状嵌合部７の双方をフルブロック１ａ内に収容する形状に形成することが好ましい。
【００５２】
このようにフルブロック１ａとハーフブロック１ｂの組み合わせにより形成される空間を利用して植栽を行うことで、敷地内や歩道空間等の緑化に寄与し、町並み等の景観の向上に寄与するばかりでなく、植栽により二酸化炭素の軽減ひいては地球温暖化の防止にも寄与する。また、フルブロック１ａは中空構造となっているため、例えば図２８に示すように植栽用空間を複数段にわたって形成する場合でも、最上段の植物に対して水を与えれば排水口２５ｃを通じて下段の植物にも水を与えることができ、植物への水やりが容易となる利点も得られる。
【００５３】
また、フルブロック１ａの内部空間Ｓに照明装置２６を備えて、積み重ね方向Ｙにおけるフルブロック１ａとハーフブロック１ｂの組み合わせにより形成される空間を照らすようにしても良い。例えば図３３に示すように、上述した植栽用空間において栽培している植物をライトアップしても良く、これにより更にブロック構造体９０の見栄えを向上できる。更に、太陽光のエネルギーを電気エネルギーに変換する太陽電池２７と、当該太陽電池２７が発生した電力を蓄えるバッテリ２８とを備えて、当該バッテリ２８より照明装置２６へ電力を供給することが好ましい。この場合、外部電力を必要とせず、太陽光を利用して日中蓄えた電力により夜間等に照明装置２６を作動させることができる。
【００５４】
例えば本実施形態では、最上段に位置するフルブロック１ａに、蓋型の太陽電池ユニット２９を取り付けるようにしている。太陽電池ユニット２９は、例えば図２９および図３０に示すように、フルブロック１ａの凹状嵌合部８に嵌め合わせられる光透過プレート３０と、この光透過プレート３０に内蔵された太陽電池２７と、当該太陽電池２７が発生した電力を蓄えるバッテリ２８とを有し、これらが一体化されて構成されている。光透過プレート３０は、例えば蓋部材２２と同一の形状としており、太陽電池ユニット２９は蓋部材２２としての機能も兼ね備える。但し、上記の太陽電池２７の取り付けは好適な例示であり、太陽光が当たる位置であれば上記以外の箇所に太陽電池２７を取り付けても構わない。
【００５５】
一方、照明装置２６は、例えば図３１および図３２に示すように、照明装置本体３１と、この照明装置本体３１をフルブロック１ａの内部空間Ｓに保持する保持部材３２とを有している。照明装置本体３１には、例えば複数の高輝度ＬＥＤ（発光ダイオード）３３が取り付けられている。ＬＥＤ３３を使用することにより、長期に渡りメンテナンスフリーとなる利点がある。但し、照明装置２６はＬＥＤ３３を使用したものに限定されるものではない。保持部材３２は、例えば照明装置本体３１を長手両方向から支持するように、２つ設けられており、それぞれ一端側が照明装置本体３１に接続されると共に、他端側３２ａはフルブロック１ａの凹状嵌合部８の端に引っ掛けられる円板状に形成されている。尚、積み重ねたブロック１，１間に隙間が生じてしまうことを防止するべく、ブロック１の凹状嵌合部８は、保持部材３２の円板状端部３２ａおよび上段のブロック１の凸状嵌合部７の双方をブロック１内に収容する形状に形成することが好ましい。また、照明装置本体３１の向きを調節可能とするために、照明装置本体３１は、連結方向Ｘの軸回りに回転可能に保持部材３２に支持されることが好ましい。このため本実施形態では、保持部材３２を照明装置本体３１に例えばボルト３４により取り付けて、照明装置本体３１の向きを３６０°調節可能としている。これにより、適宜、アッパーライト、ダウンライト、間接照明と用途等に応じて照明方向を自由に設定することができる。
【００５６】
太陽電池ユニット２９のバッテリ２８と照明装置本体３１のＬＥＤ３３とは、図３３に示すように導線（リード線）３５により電気的に接続され、バッテリ２８から供給される電力によってＬＥＤ３３が発光する。尚、既存の照度センサを例えば太陽電池ユニット２９に組み込み、照度が一定値以下となり周囲が暗くなった場合にのみバッテリ２８から照明装置２６に電力を供給し、照明装置２６を作動させるようにしても良い。またはタイマーを例えば太陽電池ユニット２９もしくは照明装置本体３１に組み込み、一定時間毎に照明装置２６をオン・オフさせるようにしても良い。この場合、省エネルギの効果が得られる。または、既存の人感センサをブロック構造体９０に組み込み、当該人感センサの検知範囲内に人がいる場合にのみ照明装置２６をオンとするようにしても良い。この場合、省エネルギの効果に加えて防犯効果も得られ、その他、各種の演出照明を実現として機能させることもできる。尚、太陽電池ユニット２９の電力を照明装置２６に利用することには限定されず、例えば太陽電池ユニット２９を非常用電源として利用しても良い。
【００５７】
また、ハーフブロック１ｂにおけるフルブロック１ａの内部空間Ｓを開放する側の面に、インターホンや表札、防犯カメラなどの応用付属品を取り付けても良い。さらに、上記照明装置２６によりインターホンや表札などを照らすようにしても良い。この場合、ブロック構造体９０の見栄えを向上できると共に、インターホンの位置や表札を訪問者等が認識し易くなる利点が得られる。例えば図３８，図３９に示すように、インターホン本体３６と、このインターホン本体３６を支持する支持板３７とよりなるインターホン・ユニット３８を、ハーフブロック１ｂにおけるフルブロック１ａの内部空間Ｓを開放する側の面に取り付ける。インターホン本体３６は、例えば支持板３７に形成された開口に嵌め込まれて支持板３７に固定される。インターホン・ユニット３８の表面３８ａは、例えば第２壁部５とほぼ対称となる曲面形状に形成されており、インターホン・ユニット３８とハーフブロック１ｂとを組み合わせることにより、フルブロック１ａの外形とほぼ同じ形状となる。支持板３７はハーフブロック１ｂに例えば釘止め、ねじ止め、接着剤等の固定手段を用いて取り付けられる。
【００５８】
また、ブロック構造体９０内に形成される空間を利用して、ポストやダストボックス、ポール受けなどを設けても良い。例えば図４２〜図４４に示すポスト３９をブロック構造体９０内に組み込む。このポスト３９は、フルブロック１ａの内部空間Ｓに挿入可能なポスト本体３９ａと、ポスト本体３９ａと一体に設けられると共にブロック１の縁と係合してポスト本体３９ａを支持する係合鍔部３９ｂとを有している。ポスト本体３９ａは、例えばほぼブロック１の３つ分の高さ（３Ｈ）を有する箱型に形成され、正面側の上部に投函口３９ｃを備えるとともに背面側の下部に取出口３９ｄを備えている。尚、図示しないが、投函口３９ｃおよび取出口３９ｄを覆う開閉可能な蓋構造をポスト本体３９ａに設けても良い。係合鍔部３９ｂは、ポスト本体３９ａの上端に設けられてポスト本体３９ａの蓋として機能すると共に、ブロック１の凹状嵌合部８に当接してポスト本体３９ａをブロック構造体９０内の空間に保持する。尚、積み重ねたブロック１，１間に隙間が生じてしまうことを防止するべく、ブロック１の凹状嵌合部８は、ポスト３９の係合鍔部３９ｂおよび上段のブロック１の凸状嵌合部７の双方をブロック１内に収容する形状に形成することが好ましい。
【００５９】
例えば本実施形態では、図９〜図１１および図４０，図４１に示す第２壁部５の向きが対称となる二種類のハーフブロック１ｂ，１ｂ’と、フルブロック１ａとを用いて、上記のポスト３９を、図４５，図４６に示すようにブロック構造体９０内に組み込む。具体的には、フルブロック１ａの内部空間Ｓを正面側に開放するハーフブロック１ｂをフルブロック１ａの上段に置き、フルブロック１ａの内部空間Ｓを背面側に開放するハーフブロック１ｂ’をフルブロック１ａの下段に置く。そして、投函口３９ｃを正面側としてポスト本体３９ａをフルブロック１ａの内部空間Ｓに挿入し、係合鍔部３９ｂを上段のハーフブロック１ｂの凹状嵌合部８に引っ掛ける。これにより、ポスト３９の投函口３９ｃが壁面の正面側に露出すると共に、ポスト３９の取出口３９ｄが壁面の背面側に露出して、ポスト３９が利用可能となる。また、図４５，図４６の例では、上段のハーフブロック１ｂの更に上段および下段のハーフブロック１ｂ’の更に下段にフルブロック１ａを設置している。係合鍔部３９ｂが当接するハーフブロック１ｂの更に上段にブロック１を設置することで、係合鍔部３９ｂはハーフブロック１ｂの凹状嵌合部８と更に上段のブロック１の凸状嵌合部７に挟持され、ポスト本体３９ａが安定して支持される。
【００６０】
尚、ブロック構造体９０内に形成される空間を例えばダストボックスとして利用する場合には、例えばフルブロック１ａの内部空間Ｓに収容可能且つ取り外し可能な容器をフルブロック１ａに組み込むと共に、当該容器の上端側を開放させる。これにより、当該容器にごみ等を収容でき、且つ容器にごみ等が溜まれば当該容器をフルブロック１ａから取り外してごみの処分等を行える。
【００６１】
なお、上述の実施形態は本発明の好適な実施の一例ではあるがこれに限定されるものではなく、本発明の要旨を逸脱しない範囲において種々変形実施可能である。例えば上述の実施形態では、ブロック構造体９０としてブロック塀を組み立てる例について説明したが、この例に限定されるものではなく、本発明に係わるブロック構造体９０は、屋内外のパーティション、道路と敷地との間に高低差がある場合等の土止め用の擁壁などの建築構造壁全般に、適用することが可能である。例えば災害時や緊急車両の通行時などに簡単に撤去または移設できる道路分離帯として、本発明に係わるブロック構造体９０を利用できる。さらに、街具（ストリートファーニチャとも呼ばれる）や家具の一部または全部を、本発明に係るブロック構造体９０で構成することも可能である。例えばベンチの脚部、あるいは歩行者の足元を照らす街路灯の外壁、手摺などに本発明に係るブロック構造体９０を適用しても良い。
【００６２】
また、フルブロック１ａおよびハーフブロック１ｂ以外のブロック１を用いても良い。例えば、一方の端側のみに連結部２を有するブロック１、一方の端において端部部材１９が一体化されているブロック１、太陽電池ユニット２９や照明装置２６またはインターホンや防犯カメラなどの応用付属品が当初から組み込まれたブロック１、ポストやダストボックスとしての機能を備えたブロック１等を用いても良い。この場合、フルブロック１ａおよびハーフブロック１ｂ以外のブロック１は、第１壁部４または第２壁部５と同一面を形成する曲面状の壁部を有することが好ましい。これにより、フルブロック１ａおよびハーフブロック１ｂ以外のブロック１を用いる場合でも、間隙の無い滑らかな凹凸状の壁面が連続的に形成される。例えば図４７〜図４９にポストの機能を備えたブロックの一例を示す。このポスト機能付ブロック１’は、例えばフルブロック１ａをベースとして作製され、正面側の第１壁部４の上部に投函用の開口４０が設けられると共に背面側の第１壁部４の下部には郵便物取出用の開口４１が設けられ、且つ郵便等を内部空間Ｓに保持するべく内部空間Ｓを下端側で塞ぐ底部４２が設けられている。また、投函口４０の上方には庇部４３が設けられている。尚、図示しないが、投函口４０および取出口４１を覆う開閉可能な蓋構造を設けても良い。このポスト機能付ブロック１’を他のブロック間に組み込むことによって、ポストの機能がブロック構造体９０に付加される。
【００６３】
また、必要に応じて連結用部材３を利用できるように、上述の実施形態のように各ブロック１および連結用部材３に共通の連結部２を設けることが好ましいが、場合によっては図５２，図５３に例示するように、ブロック１の連結部２の形状を、常に連結用部材３を介して接続することを前提としたものとしても良い。また、連結部２の形状は、上述の実施形態のように、それぞれ１つの突出部２ａと切欠部２ｂとを有し、隣接する２つの連結部２における突出部２ａと切欠部２ｂとが互い違いに配置されるものには必ずしも限定されず、例えば図５４に示すように、１つの突出部２ａとこの突出部２ａを挟む２つの切欠部２ｂを有する凸型の連結部２’と、１つの切欠部２ｂとこの切欠部２ｂを挟む２つの突出部２ａを有する凹型の連結部２”とを組み合わせても良い。また、上記のフルブロック１ａおよびハーフブロック１ｂの形状は好適な一例であって必ずしもこの例に限定されるものではない。例えばフルブロック１ａの内部空間Ｓを箱型に形成しても良い。
【図面の簡単な説明】
【００６４】
【図１】本発明のブロック構造体の実施の一形態を示し、ブロック構造体の組立の様子を示す斜視図である。
【図２】組み立てられたブロック構造体の一例を示す斜視図である。
【図３】組み立てられたブロック構造体の他の例を示す縮小した平面図である。
【図４】組み立てられたブロック構造体の更に他の例を示す縮小した平面図である。
【図５】組み立てられたブロック構造体の更に他の例を示す縮小した平面図である。
【図６】第１ブロックの一例を示す平面図である。
【図７】上記第１ブロックの正面図である。
【図８】図７における矢印viii方向から見た上記第１ブロックの側面図である。
【図９】第２ブロックの一例を示す平面図である。
【図１０】上記第２ブロックの正面図である。
【図１１】図１０における矢印xi方向から見た上記第２ブロックの側面図である。
【図１２】第１ブロックの上段に第２ブロックを積み重ねた状態を示す平面図である。
【図１３】図１２のブロック群の正面図である。
【図１４】図１３における矢印xiv方向から見た側面図である。
【図１５】図１２におけるxv-xv線で切った断面図である。
【図１６】ブロック間の連結構造の一例を示す断面図であり、接続手段としてフランジ付きピンを用いた例を示す。
【図１７】ブロック間の連結構造の他の例を示す断面図であり、接続手段としてねじ付きピンを用いた例を示す。
【図１８】ブロック間の連結構造の更に他の例を示す断面図であり、接続手段として図１６よりも長尺のピンを用いた例を示す。
【図１９】ブロック間の連結構造の更に他の例を示す断面図であり、接続手段として棒材を用いた例を示す。
【図２０】ブロック間の連結構造の更に他の例を示す断面図である。
【図２１】ブロック間を接続する連結用部材を例示する平面図である。
【図２２】上記連結用部材を用いた接続例を示す正面図である。
【図２３】上記連結用部材を用いた他の接続例を示す正面図である。
【図２４】上記連結用部材を用いた更に他の接続例を示す正面図である。
【図２５】植栽ポットの一例を示す平面図である。
【図２６】上記植栽ポットの正面図である。
【図２７】上記植栽ポットをブロックに組み込んだ状態を示す正面図である。
【図２８】ブロック構造体において植栽を行う例を示す縮小した正面図である。
【図２９】ブロックに太陽電池とバッテリを組み込む場合の構成例を示す平面図である。
【図３０】図２９の正面図であり、一部を断面で示す。
【図３１】ブロックに照明装置を組み込む場合の構成例を示す平面図である。
【図３２】図３１の正面図であり、一部を断面で示す。
【図３３】ブロック構造体において照明を行う場合の一例を示す正面図である。
【図３４】ブロックの頂部を塞ぐ蓋部材の一例を示す平面図である。
【図３５】ブロック構造体の最上段かつ端に位置するブロックに対する端部処理の一例を示す正面図である。
【図３６】ブロック構造体の端に位置するブロック列に対する端部処理の一例を示す正面図である。
【図３７】ブロック構造体としての塀に門扉を取り付けた例を示す正面図である。
【図３８】第２ブロックにインターホンを取り付ける例を示す平面図である。
【図３９】第２ブロックにインターホンを取り付ける例を示す正面図である。
【図４０】第２ブロックの他の例を示す平面図である。
【図４１】上記第２ブロックの正面図である。
【図４２】ブロック構造体に組み込むポストの一例を示す平面図である。
【図４３】上記ポストの正面図である。
【図４４】上記ポストの背面図である。
【図４５】上記ポストをブロック構造体に組み込む場合の構成例を示す正面図である。
【図４６】図４５の背面図である。
【図４７】ポスト機能を備えたブロックの一例を示す平面図である。
【図４８】ポスト機能を備えたブロックの正面図である。
【図４９】ポスト機能を備えたブロックの背面図である。
【図５０】連結用部材を介してブロック間を接続する場合の一例を示す縮小した平面図である。
【図５１】連結用部材を介してブロック間を接続する場合の他の例を示す縮小した平面図である。
【図５２】ブロック間の接続構造の他の例を示す正面図である。
【図５３】ブロック間の接続構造の更に他の例を示す正面図である。
【図５４】ブロック間の接続構造の更に他の例を示す正面図である。
【図５５】従来のブロック構造体を示す斜視図である。
【図５６】従来の他のブロック構造体を示す斜視図である。
【図５７】従来の他のブロック構造体を示す斜視図である。
【図５８】従来の他のブロック構造体を示す斜視図である。
【図５９】従来の他のブロック構造体を示す斜視図である。
【符号の説明】
【００６５】
１  ブロック
１ａ  フルブロック（第１ブロック）
１ｂ  ハーフブロック（第２ブロック）
２  連結部
２ａ  突出部
２ｂ  切欠部
３  連結用部材
Ｓ  内部空間
４  第１壁部
５  第２壁部
１０  連結軸（接続手段）
１１  フランジ部（係合部）
１４  雄ねじ部（ねじ構造）
１５  円筒部（ねじ構造）
２５  植栽ポット
２６  照明装置
２７  太陽電池
２８  バッテリ
９０  ブロック構造体
【図１】
2005232709.tif 000003
【図２】
2005232709.tif 000004
【図３】
2005232709.tif 000005
【図４】
2005232709.tif 000006
【図５】
2005232709.tif 000007
【図６】
2005232709.tif 000008
【図７】
2005232709.tif 000009
【図８】
2005232709.tif 000010
【図９】
2005232709.tif 000011
【図１０】
2005232709.tif 000012
【図１１】
2005232709.tif 000013
【図１２】
2005232709.tif 000014
【図１３】
2005232709.tif 000015
【図１４】
2005232709.tif 000016
【図１５】
2005232709.tif 000017
【図１６】
2005232709.tif 000018
【図１７】
2005232709.tif 000019
【図１８】
2005232709.tif 000020
【図１９】
2005232709.tif 000021
【図２０】
2005232709.tif 000022
【図２１】
2005232709.tif 000023
【図２２】
2005232709.tif 000024
【図２３】
2005232709.tif 000025
【図２４】
2005232709.tif 000026
【図２５】
2005232709.tif 000027
【図２６】
2005232709.tif 000028
【図２７】
2005232709.tif 000029
【図２８】
2005232709.tif 000030
【図２９】
2005232709.tif 000031
【図３０】
2005232709.tif 000032
【図３１】
2005232709.tif 000033
【図３２】
2005232709.tif 000034
【図３３】
2005232709.tif 000035
【図３４】
2005232709.tif 000036
【図３５】
2005232709.tif 000037
【図３６】
2005232709.tif 000038
【図３７】
2005232709.tif 000039
【図３８】
2005232709.tif 000040
【図３９】
2005232709.tif 000041
【図４０】
2005232709.tif 000042
【図４１】
2005232709.tif 000043
【図４２】
2005232709.tif 000044
【図４３】
2005232709.tif 000045
【図４４】
2005232709.tif 000046
【図４５】
2005232709.tif 000047
【図４６】
2005232709.tif 000048
【図４７】
2005232709.tif 000049
【図４８】
2005232709.tif 000050
【図４９】
2005232709.tif 000051
【図５０】
2005232709.tif 000052
【図５１】
2005232709.tif 000053
【図５２】
2005232709.tif 000054
【図５３】
2005232709.tif 000055
【図５４】
2005232709.tif 000056
【図５５】
2005232709.tif 000057
【図５６】
2005232709.tif 000058
【図５７】
2005232709.tif 000059
【図５８】
2005232709.tif 000060
【図５９】
2005232709.tif 000061